【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
イオン性液体中に吸収された１種または複数の冷媒を含む物質の組成物であって、冷媒が、ヒドロフルオロカーボン、ヒドロクロロフルオロカーボン、クロロフルオロカーボン、フルオロカーボン、Ｎ２、Ｏ２、ＣＯ２、ＮＨ３、Ａｒ、Ｈ２、Ｈ２Ｏ、ならびにＣ１〜Ｃ４直鎖、分岐もしくは環状アルカンおよびＣ１〜Ｃ４直鎖、分岐もしくは環状アルケンからなる群から選択される非フッ素化炭化水素からなる群から選択されることを特徴とする組成物。
【請求項２】
イオン性液体が、少なくとも１つのフッ素を含むカチオン、および／または少なくとも１つのフッ素を含むアニオンを含むことを特徴とする請求項１に記載の組成物。
【請求項３】
冷媒が、ヒドロフルオロカーボン、ヒドロクロロフルオロカーボン、クロロフルオロカーボン、およびフルオロカーボンからなる群から選択され、イオン性液体が、フッ素化カチオンおよび／またはアニオンを含むことを特徴とする請求項１に記載の組成物。
【請求項４】
冷媒がヒドロフルオロカーボンを含み、イオン性液体がフッ素化カチオンおよび／またはアニオンを含むことを特徴とする請求項１に記載の組成物。
【請求項５】
冷媒が、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、１，１−ジフルオロエタン（ＨＦＣ−１５２ａ）、フルオロエタン（ＨＦＣ−１６１）、クロロジフルオロメタン（ＨＣＦＣ−２２）、ジクロロジフルオロメタン（ＣＦＣ−１２）、パーフルオロメタン（ＦＣ−１４）およびパーフルオロエタン（ＦＣ−１１６）からなる群から選択されることを特徴とする請求項１に記載の組成物。
【請求項６】
冷媒が、メタン、エタン、エチレン、プロパン、シクロプロパン、プロペン、プロピレン、ブタン、ブテン、およびイソブタンからなる群から選択されることを特徴とする請求項１に記載の組成物。
【請求項７】
イオン性液体が、下記式からなる群から選択されるカチオンを含むことを特徴とする請求項１に記載の組成物。
【化１】
2008530275.tif 000001
【化２】
2008530275.tif 000002
（式中、Ｒ１、Ｒ２、Ｒ３、Ｒ４、Ｒ５およびＲ６が、独立に、
（ｉ）Ｈ、
（ｉｉ）Ｆ、
（ｉｉｉ）任意選択的にＣｌ−、Ｂｒ−、Ｆ−、Ｉ−、ＯＨ−、ＮＨ２−またはＳＨ−で置換されている、ＣＨ３、Ｃ２Ｈ５、またはＣ３〜Ｃ１２直鎖、分岐または環状アルカンまたはアルケン、
（ｉｖ）Ｏ、Ｎ、ＳｉおよびＳからなる群から選択される１〜３個のヘテロ原子を含み、および任意選択的にＣｌ−、Ｂｒ−、Ｆ−、Ｉ−、ＯＨ−、ＮＨ２−またはＳＨ−で置換されている、ＣＨ３、Ｃ２Ｈ５、またはＣ３〜Ｃ１２直鎖、分岐または環状アルカンまたはアルケン、
（ｖ）Ｃ６〜Ｃ２０非置換アリールまたはヘテロアリールであって、１〜３個のヘテロ原子が、独立に、Ｏ、Ｎ、ＳｉおよびＳからなる群から選択されるもの、
（ｖｉ）Ｃ６〜Ｃ２０置換アリールまたはヘテロアリールであって、１〜３個のヘテロ原子が、独立に、Ｏ、Ｎ、ＳｉおよびＳからなる群から選択され、および１〜３個の置換基が、独立に、１）任意選択的にＣｌ−、Ｂｒ−、Ｆ−、Ｉ−、ＯＨ−、ＮＨ２−またはＳＨ−で置換されている、ＣＨ３、Ｃ２Ｈ５、またはＣ３〜Ｃ１２直鎖、分岐または環状アルカンまたはアルケン、２）ＯＨ−、３）ＮＨ２−および４）ＳＨ−からなる群から選択されるもの
からなる群から選択され、
ここで、任意選択的に、Ｒ１、Ｒ２、Ｒ３、Ｒ４、Ｒ５およびＲ６の少なくとも２つが環状または二環式アルカニルまたはアルケニル基を共に形成することができる）
【請求項８】
Ｒ１、Ｒ２、Ｒ３、Ｒ４、Ｒ５およびＲ６の少なくとも１つが、Ｆ−を含むことを特徴とする請求項７に記載の組成物。
【請求項９】
イオン性液体が、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、およびいずれかのフッ素化アニオンからなる群から選択されるアニオンを含むことを特徴とする請求項１または７に記載の組成物。
【請求項１０】
イオン性液体が、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＳＯ２）３Ｃ］−、［ＣＦ３ＣＯ２］−、およびＦ−からなる群から選択されるアニオンを含むことを特徴とする請求項１または７に記載の組成物。
【請求項１１】
吸収冷凍サイクルを実行し、請求項１に記載の組成物を含むことを特徴とする温度調整デバイス。
【請求項１２】
冷凍器、エアコンディショナ、製氷機、産業用冷却システム、ヒータまたはヒートポンプとして作動されることを特徴とする請求項１１に記載の温度調整デバイス。
【請求項１３】
（ａ）イオン性液体に、ヒドロフルオロカーボン、ヒドロクロロフルオロカーボン、クロロフルオロカーボン、フルオロカーボン、Ｎ２、Ｏ２、ＣＯ２、ＮＨ３、Ａｒ、Ｈ２、Ｈ２Ｏ、および非フッ素化炭化水素からなる群から選択される冷媒の蒸気を吸収させて、両方の構成成分の混合物を形成する工程であって、ここで、非フッ素化炭化水素が、Ｃ１〜Ｃ４直鎖、分岐または環状アルカンおよびＣ１〜Ｃ４直鎖、分岐または環状アルケンからなる群から選択される工程と、
（ｂ）冷媒を、蒸気形態で、イオン性液体から分離するために混合物を加熱する工程と、
（ｃ）圧力下で、冷媒蒸気を液体に凝結させる工程と、
（ｄ）液体冷媒の圧力を低減し、および冷媒を蒸発させて、冷却される対象物または空間に近接して冷媒蒸気を形成する工程と、
（ｅ）冷媒蒸気を、イオン性液体に再吸収させる工程と
を含むことを特徴とする対象物または空間を冷却するための方法。
【請求項１４】
（ａ）イオン性液体に、ヒドロフルオロカーボン、ヒドロクロロフルオロカーボン、クロロフルオロカーボン、フルオロカーボン、Ｎ２、Ｏ２、ＣＯ２、ＮＨ３、Ａｒ、Ｈ２、Ｈ２Ｏ、および非フッ素化炭化水素からなる群から選択される冷媒の蒸気を吸収させて、両方の構成成分の混合物を形成する工程であって、ここで、非フッ素化炭化水素が、Ｃ１〜Ｃ４直鎖、分岐または環状アルカンおよびＣ１〜Ｃ４直鎖、分岐または環状アルケンからなる群から選択される工程と、
（ｂ）冷媒を、蒸気形態で、イオン性液体から分離するために混合物を加熱する工程と、
（ｃ）加熱される対象物または空間に近接して、圧力下で、冷媒蒸気を液体に凝結させる工程と、
（ｄ）液体冷媒の圧力を低減し、および冷媒を蒸発させて冷媒蒸気を形成する工程と、
（ｅ）冷媒蒸気を、イオン性液体に再吸収させる工程と
を含むことを特徴とする対象物または空間を加熱するための方法。
【請求項１５】
工程（ｂ）において冷媒から分離されたイオン性液体が、工程（ｅ）において用いられるために再循環されることを特徴とする、請求項１３または１４に記載の方法。